(57)【特許請求の範囲】
【請求項１】
島設備から供給された遊技球を受ける球タンクと、
前記球タンクが受けた遊技球を流下させる球通路と、
前記球通路を流下する遊技球の流下速度を検出し、前記流下速度が所定の速度を超える場合に、前記遊技球の流下速度を減速させる速度調整手段と、を備え、
前記速度調整手段は、
前記球通路を流下する遊技球の流下速度に応じて回転する回転部材と、
前記回転部材の回転速度が所定の速度を超える場合に、前記回転部材の回転速度を減速させる減速手段と、を備え、
前記回転部材の回転に基づいて発電する発電手段と、
前記発電手段の発電電圧が所定の基準電圧に至らない場合に、前記回転部材が回転停止していると判定する回転停止判定手段と、
前記回転停止判定手段の判定結果に基づいて、前記球通路で球詰まりが発生していると判定する球詰判定手段と、
を更に備えたことを特徴とする遊技台。
【請求項２】
請求項１に記載の遊技台であって、
遊技盤に設けた遊技領域に遊技球を発射する発射装置と、
前記発射装置に供給する遊技球を一時的に貯留する貯留皿と、
前記遊技領域に設けた入賞口に遊技球が入賞した場合に賞球として遊技球を払出する払出装置と、
前記払出装置が払出した遊技球を前記貯留皿に誘導する誘導通路と、を更に備え、
前記速度調整手段が、前記誘導通路内を流下する遊技球の流下速度を減速することを特徴とする遊技台。
【請求項３】
請求項１に記載の遊技台であって、
前記球詰判定手段が前記球通路で球詰まりが発生していると判定した場合に、前記回転部材を回転駆動制御する駆動手段を更に備えることを特徴とする遊技台。
【発明の詳細な説明】
【技術分野】
【０００１】
本発明は、パチンコ機などに代表される遊技台に関する。
【背景技術】
【０００２】
従来、パチンコ機などに代表される遊技台は、遊技盤の遊技領域に形成された入賞口に球が入賞したことに基づき所要数の賞球を払出する球通路が設けられている。この球通路は、遊技台裏面に形成され、島設備から供給された球を受ける球タンクから払出装置を経由して遊技台前面側の上皿まで形成されている。
【０００３】
島設備から供給された球は、この球通路を流下して上皿へと流下する。この上皿が満杯状態の場合には、オーバーフロー樋を経由して、上皿よりも下に設けられた下皿へと流下するようになっている。
【０００４】
また、球通路内における球が上皿に流下する過程で十分に流下勢が減衰されず、上皿から勢い余って飛び出したり、流下する球を検出する検出手段の検出可能速度を超過しているために、球の流下を検出できないといった問題点を解決するために、球通路を屈曲させ、球通路内に流下補助部材を設けたパチンコ機が知られている(例えば、特許文献１)。
【特許文献１】特開昭６１−４５７８６号公報
【発明の開示】
【発明が解決しようとする課題】
【０００５】
しかしながら、従来のパチンコ機における球詰まりの防止と球の流下速度の低下といった問題を球通路の構造を複雑にせずに、両方同時に解決するパチンコ機の開発が望まれていた。
【０００６】
本発明は、上記のような問題点を解決するためになされたもので、球通路における球詰まりを低減できると共に、遊技球の流下速度を低下させることができる遊技台を提供することを目的とする。
【課題を解決するための手段】
【０００７】
本発明の遊技台は、島設備から供給された遊技球を受ける球タンクと、前記球タンクが受けた遊技球を流下させる球通路と、前記球通路を流下する遊技球の流下速度を検出し、前記流下速度が所定の速度を超える場合に、前記遊技球の流下速度を減速させる速度調整手段と、を備えたこと特徴とする。
【発明の効果】
【０００８】
本発明によれば、球通路における球詰まりを低減できると共に、遊技球の流下速度を低下させることができる。
【発明を実施するための最良の形態】
【０００９】
(実施の形態１)
【００１０】
以下、図面を用いて、本発明の実施の形態１に係るパチンコ機（遊技台）について詳細に説明する。
【００１１】
図１は、本実施の形態１のパチンコ機１の前面側の正面図である。パチンコ機１は、内部の遊技領域(後述)内に遊技球を発射して遊技を行うもので、その前面枠２(後述)の上半部には、透明なガラス板が前面装飾部材４に保持された状態で開閉自在に取り付けている。ガラス板の奥側には遊技領域５ａを構成する遊技盤を設置している。
【００１２】
遊技盤の外レール６ａおよび内レール６ｂで囲まれた遊技領域５ａには、普通図柄(普図)始動口７と、特別図柄(特図)表示装置８と、普図変動表示遊技の結果如何によって開閉部材を開(遊技者にとって有利な状態)閉(遊技者にとって不利な状態)させる特図始動口９ａ、９ｂと、特図変動表示遊技の結果如何によって大入賞口を閉じた状態(遊技者にとって不利な状態)から開放状態(遊技者にとって有利な状態)に変換するサイクル遊技を行う特別変動入賞装置１０と、一般入賞口１１と、風車と呼ばれる打球方向変換部材１２と、複数の障害釘、特図始動口９ａ、９ｂ、一般入賞口１１、および大入賞口に入賞しなかった球をパチンコ機１の裏側に導くアウト口１２等を配設している。
【００１３】
また、パチンコ機１の前面側下半部には、排出装置４０により排出し、導出口１３から導出した球(賞球、貸球)を一時的に貯留すると共に、その貯留している球を順次発射部(図示省略)に供給する貯留皿２０を設置している。貯留皿２０の右下位置には、遊技領域５ａに向けて遊技球の発射操作を行うための操作ハンドル２１を設置している。
【００１４】
図２は、パチンコ機１の背面を示す図である。パチンコ機１の前面枠２の裏側には、予備球を貯留するための貯留タンク４１ａと、この貯留タンク４１ａからタンクレール４１ｂ、および上部流下樋４１ｅを経由して流下案内された球を所定条件(例えば、特図始動口９ａ、９ｂ、一般入賞口１１、特別変動入賞装置１０(大入賞口)等の入賞口に球が入賞したこと、あるいは貸球操作部(図示省略)の貸球スイッチ(図示省略)が押されたこと)に基づいて所要数排出する排出装置４０と、この排出装置４０により排出した球を貯留皿２０へと流下案内する流下樋４１ｅと、遊戯の進行に関する制御を行う遊戯制御装置４２と、この遊技制御装置４２の制御下で発射部(図示省略)の制御を行う発射制御装置４３と、各種制御装置等に電源を供給する電源装置４５と、遊技制御装置４２の制御下で排出装置４０の制御を行う排出制御装置４６と、を設置している。
【００１５】
遊技盤５の裏側には、各入賞口(特図始動口９ａ、９ｂ、一般入賞口１１、特別変動入賞装置１０(大入賞口))に入賞した入賞球に応じて遊技制御装置４２の制御下で特別図柄表示装置８の表示制御を行う表示制御装置４７を設置している。この表示制御装置４７の背部には、遊技制御装置４２の制御下で各種装飾ランプ・ＬＥＤ等の点灯・点滅制御を行う装飾制御装置４８と、遊技制御装置４２の制御下でスピーカ(図示省略)の出力制御を行う音制御装置４９等を配設している。
【００１６】
図３は、流下速度調整装置５０の構成を示す外観図である。流下速度調整装置５０は、排出装置４０の球通路４１ｄ内に設置して遊技球１００の流下速度に応じて回転するスプロケット・ローラ５１と、スプロケット・ローラ５１の回転速度が所定の速度を超える場合に、スプロケット・ローラ５１の回転速度を減速させるモータ５２と、を備えている。スプロケット・ローラ５１の回転軸５１ａには、モータ５２の回転軸５２ａを接続し、その回転動作をモータ５２の回転軸５２ａに伝達するように構成している。
【００１７】
図４は、モータ５２を含む基本的な回路構成を示す図である。同図に示すように、モータ５２はＤＣモータであり、スプロケット・ローラ５１から伝達される回転数に応じて発電する発電機として利用する。このモータ５２の両端子間には、ツェナーダイオード５３を接続している。ツェナーダイオード５３は、スプロケット・ローラ５１が正回転することによりモータ５２で発電する直流電圧がツェナー電圧を超えると導通してモータ５２に負荷電流を流すことでブレーキを掛け、モータ５２の回転速度を減速させる。また、スプロケット・ローラ５１が逆回転した場合には回路が短絡してスプロケット・ローラ５１を正回転方向に回転するようにモータ５２を駆動する回路構成としているので、逆回転防止になる。
【００１８】
図５は、流下速度調整装置５０の別の回路構成を示す図である。同図に示すように、モータ５２の両端子間には、さらにダイオード５４ａと直流電源５５を直列に接続している。また、逆回転ブレーキ用のツェナーダイオード５４ｂを接続している。この回路構成によりモータ５２の回転が低速で正回転している場合にはモータ５２に負荷電流は流れずブレーキはかからないが、一定回転数以上になると負荷電流が流れ、モータ５２の回転数を一定にするように作用する。また、スプロケット・ローラ５１が逆回転した場合には回路が短絡してスプロケット・ローラ５１を正回転方向に回転するようにモータ５２を駆動する回路構成としている。
【００１９】
次に、上記した実施の形態１の動作を説明する。
【００２０】
図３において、スプロケット・ローラ５１は、球通路４１ｄ内を流下する遊技球１００の流下速度に応じて回転する。モータ５２は、回転軸５２ａがスプロケット・ローラ５１の回転速度に応じて回転し、その回転速度に応じた直流電圧を発電する。遊技球１００の流下速度が速くなり、スプロケット・ローラ５１の回転速度が所定の速度を超えると、モータ５２が発電する直流電圧がツェナーダイオード５４ｂのツェナー電圧を超えることになり、ツェナーダイオード５４ｂが導通して、モータ５２にブレーキを掛ける。モータ５２にブレーキが掛かることにより、スプロケット・ローラ５１の回転速度が減速し、遊技球１００の流下速度を低下させる。
【００２１】
なお、上記実施の形態１では、球通路４１ｄ内にスプロケット・ローラ５１を設けた場合を示したが、他の回転部材として、例えば、ローラ等を設けるようにしても良い。
【００２２】
(実施の形態２)
【００２３】
図６は、本実施の形態２のパチンコ機１の流下速度調整装置６０の回路構成を示す図である。なお、本実施の形態２のパチンコ機１の前面側構成及び背面側構成は、上記実施の形態１の図１及び図２に示したものと同一であるため、その図示及び構成説明は省略する。また、流下速度調整装置６０の機械的構成は、上記実施の形態１の図３に示したものと同一であるため、その図示及び構成説明は省略する。図６に示す回路構成において、図５に示した回路構成と同一の構成要素には、同一の符号を付している。
【００２４】
図６において、流下速度調整装置６０は、モータ５２と、ツェナーダイオード５３と、コンパレータ６１と、分圧抵抗６２ａ〜６２ｃと、基準電圧源６３ｂと、マイコン６４と、モータ駆動用トランジスタＴＲ１と、を備えている。
【００２５】
コンパレータ６１は、モータ５２の発電電圧を分圧抵抗６２ａ、６２ｂで分圧した検出電圧ＶＭを非反転入力端子(＋)に入力し、基準電圧源６３ｂの基準電圧ＶＳを反転入力端子(−)に入力し、検出電圧ＶＭと基準電圧ＶＳを比較し、その比較結果("Ｈｉ"信号又は"Ｌｏｗ"信号)をマイコン６４に出力する。コンパレータ６１は、検出電圧ＶＭが基準電圧ＶＳより高い場合は、比較結果として"Ｈｉ"信号を出力し、検出電圧ＶＭが基準電圧ＶＳより低い場合は、比較結果として"Ｌｏｗ"信号を出力する。
【００２６】
分圧抵抗６２ａ，ｂは、コンパレータ６１に入力する検出電圧ＶＭが過大にならないように、モータ５２の発電電圧範囲及び内部抵抗と、コンパレータ６１の入力電圧範囲と、を考慮して抵抗値を設定する。基準電圧源６３ｂは、検出電圧ＶＭによりモータ５２の回転動作の有無を判断可能にする閾値となる直流電圧値を設定する。
【００２７】
マイコン６４は、上述の排出制御装置４６に搭載し、コンパレータ６１が出力する比較結果に基づいて、球通路４１ｄ内の球詰まりを判定する球詰まり検出処理(後述)を実行する。マイコン６４は、球詰まり検出処理において、コンパレータ６１からの比較結果が"Ｈｉ"信号か"Ｌｏｗ"信号かによりスプロケット・ローラ５１の回転動作の有無を判断して、球詰まりを判定した場合にエラー報知動作および強制球流下動作を行う。
【００２８】
次に、上記した実施の形態２の動作を説明する。
【００２９】
上述のマイコン６４が一定期間(例えば１０分)ごとに実行する球詰まり検出処理について、図７を参照して説明する。図７は、マイコン６４が実行する球詰まり検出処理を示すフローチャートである。この球詰まり検出処理は、上述の遊戯制御装置４２が実行する遊技制御処理に対して、所定の割込みタイミングで実行するものとする。なお、マイコン６４は、スプロケット・ローラ５１の回転停止時間を監視する監視時間を設定するタイマ(図示省略)を有する。
【００３０】
マイコン６４は、ステップＳ１０１において、上記タイマの設定により所定時間スプロケット・ローラ５１が回転停止しているか否かを判定する。この場合、タイマの設定時間がタイムアップしていることを判定基準とする。所定時間スプロケット・ローラ５１が回転停止していると判定した場合はステップＳ１０２に進み、そうでない場合(スプロケット・ローラ５１が回転している)と判定した場合は、球詰まりは無かったとして、球詰まり検出処理を終了する。
【００３１】
ステップＳ１０２では、モータ５２を正回転させるための信号を出力して、ステップＳ１０３に進む。
【００３２】
ステップＳ１０３では、上記タイマを使用して、再度、所定時間スプロケット・ローラ５１が回転停止しているか否かを監視する。タイマがタイムアップするまでの間に、コンパレータ６１から"Ｈｉ"信号、すなわち、スプロケット・ローラ６１が回転していることを示す信号を所定回数(例えば１回)受信した場合には、球詰まりは無かったとして、球詰まり検出処理を終了する。タイマがタイムアップするまでの間に、コンパレータ６１から"Ｈｉ"信号、すなわち、スプロケット・ローラ６１が回転していることを示す信号を所定回数(例えば１回)受信しなかった場合には、球詰まりが発生しているものと判定し、ステップＳ１０４に処理を移行させる。
【００３３】
ステップＳ１０４では、上述のステップＳ１０１〜ステップＳ１０３における回転停止判定により球詰まりが発生していると判定して、球詰まりエラーの報知動作を実行する。この時、マイコン６４は、球詰まりエラー報知信号をホールの管理システム(図示省略)に対して送信する等して、店員等に対して当該パチンコ機１で球詰まりが発生していることを報知するとともにパチンコ機前面に設けた球詰まりエラーランプ(図示省略)を点灯させる。
【００３４】
ステップＳ１０５では、上述のエラー報知を解除する解除ボタンが押下されたか否かを判断する。この場合、エラー解除ボタンは、例えば、図２に示した背面側の排出制御装置４６の実装場所等に設置しているものとする。上述のエラー報知を確認した店員により球詰まりが物理的に解消されてエラー解除ボタンが押下されると、マイコン４６は、エラー解除ボタンが押下されたことを検出し、エラー報知動作を解除し、球詰まり検出処理を終了する。また、エラー解除ボタンの押下を検出するまで、エラー報知動作を継続する。
【００３５】
(実施の形態３)
【００３６】
図８は、本実施の形態３のパチンコ機１の流下速度調整装置に用いる遊技球誘導コイル７０の外観斜視図である。なお、本実施の形態３のパチンコ機１の前面側構成及び背面側構成は、上記実施の形態１の図１及び図２に示したものと同一であるため、その図示及び構成説明は省略する。図８の遊技球誘導コイル７０は、上述の球通路４１ｄ内に設置し、流下する遊技球１００が通過可能なギャップを有する略コの字状のコア材(磁性材料)７１と、このコア材７１のアーム部７１ａに巻回したコイル７２と、を備えている。
【００３７】
遊技球誘導コイル７０は、コイル７２の両端子部を後述する流下速度調整装置８０に接続し、流下速度調整装置８０がコイル７２に供給する交流駆動信号によりコア材７１のギャップに交流磁界を発生し、遊技球１００がギャップを通過する際に通過速度に応じて発生するインダクタンスの変化をコイル電流信号として流下速度調整装置８０に出力する。
【００３８】
図９は、本実施の形態３の流下速度調整装置８０の回路構成を示す図である。この流下速度調整装置８０は、電源回路８１と、可変出力発振回路８２と、交流駆動用出力トランジスタＴＲ１，ＴＲ２と、直流阻止用コンデンサＣと、上述の遊技球誘導コイル７０と、電流検出抵抗Ｒと、検波回路８３と、ローパスフィルタ８４と、微分回路８５と、電圧比較回路８６と、を備えている。
【００３９】
電源回路８１は、直流電源からなり、流下速度調整装置８０内の各部に対して直流電源を供給する。
【００４０】
可変出力発振回路８２は、電圧比較回路８６が出力する遊技球流下速度検出信号(発振振幅切替用信号)に基づいて発振動作を行い、その発振信号(高周波電流)を交流駆動用出力トランジスタＴＲ１，ＴＲ２の各ベース電極に供給する。
【００４１】
交流駆動用出力トランジスタＴＲ１，ＴＲ２は、可変出力発振回路８２が供給する発振信号を増幅し、その共通接続点から交流駆動信号を直流阻止用コンデンサＣを介して遊技球誘導コイル７０に供給する。
【００４２】
図中の遊技球誘導コイル７０は、図８の等価回路を示しており、交流駆動用出力トランジスタＴＲ１，ＴＲ２が供給する交流駆動信号が誘導コイル７２に流れることにより上述のコア材７１のギャップに交流誘導磁界を発生する。また、遊技球誘導コイル７０は、遊技球１００がギャップを落下する際に発生するインダクタンスの変化をコイル電流として電流検出抵抗Ｒに出力する。
【００４３】
電流検出抵抗Ｒは、遊技球誘導コイル７０が出力するコイル電流の変化に応じた交流電圧信号を検波回路８３に出力する。
【００４４】
検波回路８３は、ダイオードＤと抵抗ｒ１からなり、電流検出抵抗Ｒが出力する交流電圧信号の正(＋)側電圧信号を検波し、その検波信号をローパスフィルタ８４に出力する。
【００４５】
ローパスフィルタ８４は、抵抗ｒ２とコンデンサｃ１からなり、検波回路８３が出力する検波信号からカットオフ周波数以下の低域信号を抽出することにより、検波信号から連続する包絡線信号を生成して微分回路８５に出力する。
【００４６】
微分回路８５は、オペアンプＯＰ１とコンデンサｃ２と抵抗ｒ３からなり、ローパスフィルタ８４が出力する包絡線信号を微分し、その微分信号の位相を反転した位相反転信号を生成して電圧比較回路８６の反転入力端子(−)に出力する。
【００４７】
電圧比較回路８６は、オペアンプＯＰ２と基準電源Ｐとからなり、微分回路８５が出力する位相反転信号の電圧レベルを基準電圧ＶＳと比較し、その比較結果を遊技球流下速度検出信号として可変出力発振回路８２に出力する。具体的には、電圧比較回路８６は、位相反転信号の電圧レベルが基準電圧ＶＳの値より大きい場合(時間当たりの変化率が特定の値より大きい場合)に、遊技球１００の流下速度が所定の速度を超えていると判定し、遊技球誘導コイル７０の交流磁界を強める遊技球流下速度検出信号を可変出力発振回路８２に出力する。
【００４８】
次に、上記した実施の形態３の動作を説明する。
【００４９】
まず、遊技球１００が遊技球誘導コイル７０のコア材７１のギャップを通過する際に、その通過速度に応じて遊技球誘導コイル７０で発生するインダクタンス変化に伴うコイル電流の変化ついて、図１０及び図１１を参照して説明する。
【００５０】
図１０は、遊技球１００の流下速度が遅い場合のコイル電流の変化を示す図である。図１１は、遊技球１００の流下速度が速い場合のコイル電流の変化を示す図である。各図において、縦軸はコイル電流Ｉ［Ａ］であり、横軸は時間Ｔ［ｓ］である。また、各図の一点鎖線は遊技球１００が通過するギャップの中心位置を示している。
【００５１】
各図では、遊技球１００がギャップを通過する際に、ギャップ中心位置を基準にしてコイル電流Ｉの時間軸方向の振幅変化を検出するため、前半期間Ｔ１，Ｔ３と、後半期間Ｔ２，Ｔ４を設定した場合を示している。前半期間Ｔ１，Ｔ３は、遊技球１００がギャップ中心位置に近づくとき、すなわち、遊技球１００がギャップの中心位置に至るまでの期間を示している。また、後半期間Ｔ２，Ｔ４は、遊技球１００がギャップ中心位置から離れるときの期間を示している。
【００５２】
遊技球１００がギャップを通過する際は、前半期間Ｔ１，Ｔ３では遊技球誘導コイル７０のインダクタンスが徐々に増加してコイル電流Ｉが減少し、後半期間Ｔ２，Ｔ４では遊技球誘導コイル７０のインダクタンスが徐々に減少してコイル電流Ｉが増加する。また、後半期間Ｔ２，Ｔ４は、前半期間Ｔ１，Ｔ３よりも長い時間（Ｔ２＞Ｔ１，Ｔ４＞Ｔ３）になっているため、遊技球１００がギャップを通過する際は交流磁界の影響により後半期間Ｔ２，Ｔ４で流下速度が低下することが分かる。このようなコイル電流Ｉの変化傾向は、遊技球１００の流下速度によらず発生する現象である。
【００５３】
本実施の形態３の流下速度調整装置８０では、遊技球誘導コイル７０が出力するコイル電流Ｉの時間軸方向の振幅変化を、ギャップ中心位置を基準にした期間(前半期間Ｔ１，Ｔ３又は後半期間Ｔ２，Ｔ４)毎に電圧比較回路８６で基準電圧ＶＳと比較し、位相反転信号の電圧レベルが基準電圧ＶＳの値より大きい場合に、遊技球１００の流下速度が所定の速度を超えていると判定する。電圧比較回路８６は、遊技球１００の流下速度が所定の速度を超えていると判定した場合に、遊技球誘導コイル７０で発生する交流磁界を強めるように交流駆動信号の振幅を調整する。したがって、電圧比較回路８６では、コイル電流Ｉの時間当たりの振幅変化率が、特定の閾値(基準電圧ＶＳ)を超えているか否かを判定するために、基準電圧ＶＳを発生する基準電源Ｐを非反転入力端子(＋)に接続している。
【００５４】
図１０の例では、期間Ｔ１及びＴ２において共にコイル電流Ｉの時間当たりの振幅変化率が基準電圧よりも低い場合を示しており、遊技球１００の流下速度が遅い状態である。図１１の例では、期間Ｔ３及びＴ４において共にコイル電流の時間当たりの振幅変化率が基準電圧ＶＳよりも高い場合を示しており、遊技球１００の流下速度が所定の速度よりも速い状態である。
【００５５】
次に、流下速度調整装置８０が遊技球１００の流下速度を調整する具体例について、図１２を参照して説明する。図１２は、遊技球１００の流下速度が所定の速度よりも速く、流下速度調整装置８０が遊技球誘導コイル７０で発生させる交流磁界を強める場合のコイル電流Ｉの変化を示す図である。
【００５６】
遊技が開始される前、流下速度調整装置８０では、可変出力発振回路８２が基準振幅の発振信号を交流駆動用出力トランジスタＴＲ１，ＴＲ２に供給し、交流駆動用出力トランジスタＴＲ１，ＴＲ２から基準振幅の交流駆動信号を遊技球誘導コイル７０に供給して、遊技球誘導コイル７０内のコア材７１のギャップに交流磁界を発生させる。
【００５７】
そして、遊技者により遊技が開始され、球通路４１ｄ内を遊技球１００が流下し始めると、遊技球１００がコア材７１のギャップを通過する時にインダクタンスが変化することでコイル電流Ｉの振幅が時間軸方向で変化する。このコイル電流Ｉの変化状態を図１２に示す。この図の例では、コイル電流Ｉの振幅変化が現れる前半期間Ｔ５が、上述の図１０に示した前半期間Ｔ１よりも短い(Ｔ５＜Ｔ１)場合を示している。なお、前半期間Ｔ５におけるコイル電流Ｉの振幅はＡ１であるものとする。
【００５８】
流下速度調整装置８０では、遊技球誘導コイル７０が出力するコイル電流Ｉは、電流検出抵抗Ｒで交流電圧信号となり、検波回路８３で正(＋)側電圧信号からなる検波信号となり、ローパスフィルタ８４で包絡線信号となり、微分回路８５で位相反転信号となる。コイル電流Ｉの時間軸方向の振幅変化は、ローパスフィルタ８４において包絡線信号に変換することにより、時間経過とともに電圧レベルが連続して変化する信号となる。また、包絡線信号は、微分回路８５において微分して位相反転信号に変換することにより、包絡線信号の変化領域を抽出した信号となる。
【００５９】
図１２の場合は、前半期間Ｔ５におけるコイル電流Ｉの時間当たりの振幅変化率が大きい為、微分回路８５が出力する位相反転信号に含まれる立下り領域の変化(電圧レベルの変化)も大きくなる。
【００６０】
そして、電圧比較回路８６は、微分回路８５が出力する位相反転信号の電圧レベルを基準電圧ＶＳと比較する。電圧比較回路８６は、位相反転信号の電圧レベルが基準電圧ＶＳ(閾値)を超えるため、遊技球１００の流下速度が所定の速度を超えていると判定し、発振振幅を大きく設定する遊技球流下速度検出信号(発振振幅切替用信号)を可変出力発振回路８２に出力する。可変出力発振回路８２は、電圧比較回路８６が出力する遊技球流下速度検出信号(発振振幅切替用信号)により、発振振幅を大きく設定した発振信号を交流駆動用出力トランジスタＴＲ１，ＴＲ２の各ベース電極に供給する。
【００６１】
交流駆動用出力トランジスタＴＲ１，ＴＲ２は、可変出力発振回路８２が供給する発振信号に応じた交流駆動信号を遊技球誘導コイル７０に供給する。その後、遊技球誘導コイル７０のコア材７１のギャップで発生する交流磁界は強まることになり、遊技球１００の流下速度を低下させることになる。その結果、図１２において、後半期間Ｔ６に示すように、遊技球誘導コイル７０が出力するコイル電流Ｉの振幅Ａ２は、前半期間Ｔ５の振幅Ａ１よりも大きくなり(Ａ２＞Ａ１)、その時間当たりの振幅変化率も緩やかになる。
【００６２】
なお、同図に示す期間Ｔ７は、流下速度調整装置８０が遊技球１００の流下速度が所定速度を超えていることを判定し、遊技球誘導コイル７０の交流磁界を強める制御を行った期間であることを示している。
【００６３】
尚、上記実施の形態２の図６に示した流下速度調整装置６０は、図１３に示す回路構成としてもよい。この流下速度調整装置６０は、上記実施の形態２において図６に示した流下速度調整装置６０からモータ５２を強制駆動する分圧抵抗６２ｃとモータ駆動用トランジスタＴＲ１を削除し、球詰まりの監視のみを行うようにしたものである。
【００６４】
また、上記実施の形態３の図８に示した遊技球誘導コイル７０では、球が流下する球通路との位置関係について具体的に示していないが、遊技球誘導コイル７０のコア材７１と球通路との位置関係の具体例を図１４および図１５に示す。
【００６５】
図１４および図１５は、球１００が流下する球通路４１の断面と、遊技球誘導コイル７０のコア材７１との位置関係の一例を示す図である。この場合、コア材７１に近い位置の球通路４１の壁４１ｚの厚さを、コア材７１より遠い位置の球通路４１の壁４１ｙの厚さよりも厚くしていることに特徴がある。このように、遊技球誘導コイル７０が発する磁束の方向を加味して球１００が衝突しやすい壁４１ｚのみを厚くするようにしてもよい。
【００６６】
尚、上記実施の形態１の図２に示した遊技制御装置４３は、ＣＰＵ、ＲＯＭ、ＲＡＭ、Ｉ／Ｏなどを備え、各入賞口のセンサと電気的に接続している。また、図２に示した排出制御装置４６は、ＣＰＵ、ＲＯＭ、ＲＡＭ、Ｉ／Ｏなどを備え、球通路４１ｄを流下する遊技球を検出するセンサ(図示省略)と接続しており、所定の入賞口に遊技球が入賞したことを検出したセンサからの信号を受信した遊技制御装置４３からの、入賞した入賞口に対応する個数の遊技球の排出を指示する信号に基づいて排出装置４０を制御するように構成している。
【００６７】
また、図４、図５、図６および図９に示した回路は、遊技制御装置４３、排出制御装置４６、または専用の制御基板に設けてもよく、図６に示したマイコン６４を遊技制御装置４３、排出制御装置４６に設けたＣＰＵ、ＲＯＭ、ＲＡＭおよびＩ／Ｏに適用するようにしてもよい。
【００６８】
また、図７の球詰まり検出処理は、上記実施の形態２では一定期間ごとに実行するものとしたが、排出制御装置４６が排出装置４０に排出動作を開始させたことを条件に実行するようにしてもよいし、排出制御装置４６が排出装置４０に排出動作を開始させてから所定時間(例えば１秒)の経過後に実行するようにしてもよい。即ち、球詰まり検出処理の開始条件・時期は適宜設定すればよい。
【００６９】
さらに、本発明は、パチンコ機以外にもメダル、球などの遊技媒体を搬送する搬送路を有する遊技媒体搬送ユニットなどの遊技島設備、パチスロ機、パロットに適用してもよい。例えば、パチンコ機などから回収した遊技球を再度パチンコ機に循環させる遊技島の循環経路に本発明を適用するようにしてもよい。
【００７０】
以上、本発明の実施例を説明したが、具体例を例示したに過ぎず、特に本発明を限定するものではない。すなわち、本発明は、遊技球を流下させる球通路と、球通路を流下する遊技球の流下速度を検出し、流下速度が所定の速度を超える場合に、遊技球の流下速度を減速させる速度調整手段と、を備えた構成であるが、球通路、速度調整手段などの手段の具体的構成などは、適宜設計変更可能である。尚、発明を実施するための最良の形態に記載した、作用及び効果は、本発明から生じる最も好適な作用及び効果を列挙したに過ぎず、本発明による作用及び効果は、発明を実施するための最良の形態に記載されたものに限定されるものではない。
【００７１】
本発明の遊技台(例えば、パチンコ機１)では、球通路４１ｄを流下する遊技球１００の流下速度に応じて回転する回転部材(例えば、スプロケット・ローラ５１)と、前記回転部材の回転速度が所定の速度を超える場合に、前記回転部材の回転速度を減速させる減速手段(例えば、モータ５２及びツェナーダイオード５３)と、を備えたため、球通路における球詰まりを低減できると共に、遊技球の流下速度を低下させることができる場合がある。また、導出口から遊技球が勢い余って、皿の外に遊技球が飛び出してしまうといった不具合の発生を防げる場合があったり、球通路に設けた球検出センサの検出不可能な速度で流下する球数を減少させることができる場合がある。また、球通路内を流下する静電気の帯電量の異なる二つの遊技球が勢い良く衝突した場合に発生するノイズの発生を防ぐことができる場合があり、制御基板などの電気部品に悪影響を与える危険を防止できる場合がある。
【００７２】
本発明の遊技台(例えば、パチンコ機１)では、前記速度調整手段は、前記球通路を流下する遊技球の流下速度に応じて回転する回転部材(例えば、スプロケット・ローラ５１)と、前記回転部材の回転速度が所定の速度を超える場合に、前記回転部材の回転速度を減速させる減速手段(例えば、モータ５２及びツェナーダイオード５３)と、を備えたため、球通路における球詰まりを低減できると共に、遊技球の流下速度を低下させることができる場合がある。
【００７３】
本発明の遊技台(例えば、パチンコ機１)では、前記回転部材の回転に基づいて発電する発電手段(例えば、モータ５２)と、前記発電手段の発電電圧が所定の基準電圧に至らない場合に、前記回転部材が回転停止していると判定する回転停止判定手段(例えば、コンパレータ６１)と、前記回転停止判定手段の判定結果に基づいて、前記球通路で球詰まりが発生していると判定する球詰判定手段(例えば、マイコン６４)と、を更に備えたため、球詰まりの低減と、流下速度の減速を実現しながら、判定結果を報知する構成を追加すれば球詰まりも確実に判定して報知することが可能になり、パチンコ機の信頼性を向上することができる場合がある。また、判定結果は報知しなくても、マイコンのＲＡＭに記憶するなどしてもよい。
【００７４】
本発明の遊技台(例えば、パチンコ機１)では、前記速度調整手段(例えば、流下速度調整装置８０)は、前記球通路４１ｄ内に磁界を発生し、前記磁界を通過する前記遊技球の流下速度に応じた誘導電流を出力する電磁誘導コイル(例えば、遊技球誘導コイル７０)と、前記誘導電流に基づいて前記遊技球の流下速度を検出し、前記流下速度が所定の速度を超える場合に、前記電磁誘導コイルの磁界を強めて前記遊技球の流下速度を減速させる磁界調整手段(例えば、交流駆動用出力トランジスタＴＲ１，ＴＲ２、可変出力発振回路８２、検波回路８３、ローパスフィルタ８４、微分回路８５及び電圧比較回路８６)と、を備えたため、球詰まりが発生している場合に、球通路における球詰まりを低減できると共に、遊技球の流下速度を低下させることができる場合がある。
【００７５】
本発明の遊技台(例えば、パチンコ機１)では、遊技盤に設けた遊技領域に遊技球を発射する発射装置(例えば、発射部)と、前記発射装置に供給する遊技球を一時的に貯留する貯留皿２０と、前記遊技領域に設けた入賞口に遊技球が入賞した場合に賞球として遊技球を払出する払出装置と、前記払出装置が払出した遊技球を前記貯留皿に誘導する誘導通路(例えば、流下樋４１ｅ)と、を更に備え、前記速度調整手段が、前記誘導通路内を流下する遊技球の流下速度を減速するようにしたため、導出口から遊技球が勢い余って、皿の外に遊技球が飛び出してしまうといった不具合の発生を防ぐことができる場合がある。
【００７６】
本発明の遊技台(例えば、パチンコ機１)では、前記球詰判定手段(例えば、マイコン６４)が前記球通路で球詰まりが発生していると判定した場合に、前記回転部材(例えば、スプロケット・ローラ５１)を回転駆動制御する駆動手段(例えば、モータ駆動用トランジスタＴＲ１)を更に備えたため、強制的にスプロケット・ローラ５１を回転駆動することで、球詰まりを解消できる場合があり、自己診断および自己解決が可能でメンテナンス性を向上させられる場合がある。
【００７７】
本発明の遊技台(例えば、パチンコ機１)では、前記電磁誘導コイルに高周波電流を入力するようにしたため、一定量の電流を加え続ける場合に比べて使用電気量を減らすことができる場合があり、無駄に電気を使わずに目的を達成できる場合がある。
【００７８】
本発明の遊技台(例えば、パチンコ機１)では、遊技盤に設けた遊技領域に遊技球を発射する発射装置(例えば、発射部)と、前記発射装置に供給する遊技球を一時的に貯留する貯留皿２０と、前記遊技領域に設けた入賞口に遊技球が入賞した場合に賞球として遊技球を払出する払出装置と、前記払出装置が払出した遊技球を前記貯留皿に誘導する誘導通路(例えば、流下樋４１ｅ)と、前記球通路を流下する遊技球の流下速度に応じて回転する回転部材(例えば、スプロケット・ローラ５１)と、前記回転部材の回転に基づいて発電する発電手段(例えば、モータ５２)と、前記発電手段による発電電圧が所定の発電電圧を超える場合に、前記回転部材の回転速度を減速させる減速手段(例えば、ツェナーダイオード５３)と、前記発電手段の発電電圧が所定の電圧に至らない場合に、前記回転部材が回転停止していると判定する回転停止判定手段(例えば、コンパレータ６１)と、前記回転停止判定手段の判定結果に基づいて、前記球通路で球詰まりが発生していると判定する球詰判定手段(例えば、マイコン６４)と、前記球詰判定手段が前記球通路で球詰まりが発生していると判定した場合に、前記回転部材を回転駆動制御する駆動手段(例えば、モータ駆動用トランジスタＴＲ１)と、前記駆動手段による前記回転部材の回転駆動制御中に、前記回転停止判定手段が、前記回転部材が回転停止していると判定した場合に、前記球通路で球詰まり異常が発生していると判定する球詰異常判定手段(例えば、マイコン６４)と、を備えたため、導出口から遊技球が勢い余って、皿の外に遊技球が飛び出してしまうといった不具合の発生を防げる場合があったり、球通路に設けた球検出センサの検出不可能な速度で流下する球数を減少させることができる場合がある。また、球通路における球詰まりを低減できると共に、遊技球の流下速度を低下させることができる場合がある。また、球通路の形状に関わり無く遊技球の流下速度を低下させることができる場合があり、形状が屈曲していることが原因で発生する球通路における球詰まりを低減できる場合がある。また、球通路内を流下する静電気の帯電量の異なる二つの遊技球が勢い良く衝突した場合に発生するノイズの発生を防ぐことができる場合があり、制御基板などの電気部品に悪影響を与える危険を防止できる場合がある。また、球詰まりが発生している場合に、強制的にスプロケット・ローラ５１を回転駆動することで、球詰まりを解消できる場合があり、自己診断および自己解決が可能でメンテナンス性を向上させられる場合がある。
【００７９】
本発明の遊技台(例えば、パチンコ機１)では、遊技盤に設けた遊技領域に遊技球を発射する発射装置(例えば、発射部)と、前記発射装置に供給する遊技球を一時的に貯留する貯留皿２０と、前記遊技領域に設けた入賞口に遊技球が入賞した場合に賞球として遊技球を払出する払出装置と、前記払出装置が払出した遊技球を前記貯留皿に誘導する誘導通路(例えば、流下樋４１ｅ)と、前記球通路内に、高周波電流を入力として磁界を発生し、前記球通路を流下する前記遊技球の流下速度に応じた誘導電流を出力する電磁誘導コイル(例えば、遊技球誘導コイル７０)と、前記誘導電流の変化に基づく電圧値の変化を平滑化する平滑化手段(例えば、検波回路８３、ローパスフィルタ８４及び微分回路８５)と、前記平滑化手段が平滑化した電圧値の、時間当たりの変化率が特定の値より大きい場合に、前記遊技球の流下速度が所定の速度を超えていると判定する流下速度判定手段(例えば、電圧比較回路８６)と、前記流下速度判定手段が、遊技球の流下速度は所定の速度を超えていると判定した場合に、前記電磁誘導コイルの磁界を強めることで遊技球の流下速度を減速させる磁界調整手段(例えば、可変出力発振回路８２及び交流駆動用出力トランジスタＴＲ１，ＴＲ２)と、を備えたため、導出口から遊技球が勢い余って、皿の外に遊技球が飛び出してしまうといった不具合の発生を防げる場合があったり、球通路に設けた球検出センサの検出不可能な速度で流下する球数を減少させることができる場合がある。また、球通路における球詰まりを低減できると共に、遊技球の流下速度を低下させることができる場合がある。また、球通路の形状に関わり無く遊技球の流下速度を低下させることができる場合があり、形状が屈曲していることが原因で発生する球通路における球詰まりを低減できる場合がある。また、球通路内を流下する静電気の帯電量の異なる二つの遊技球が勢い良く衝突した場合に発生するノイズの発生を防ぐことができる場合があり、制御基板などの電気部品に悪影響を与える危険を防止できる場合がある。また、比較的簡単な回路構成で磁界の強度を調整することで球の流下速度を減速させ、球詰まりを解消できる場合があり、自己診断および自己解決が可能でメンテナンス性を向上させられる場合がある。
【産業上の利用可能性】
【００８０】
本発明は、パチンコ等の遊技機に代表される遊技台に適用することができる。
【図面の簡単な説明】
【００８１】
【図１】本発明の実施の形態１に係るパチンコ機の前面側の斜視図である。
【図２】本実施の形態１に係るパチンコ機の背面を示す図である。
【図３】本実施の形態１に係る流下速度調整装置の構成を示す外観図である。
【図４】本実施の形態１に係る流下速度調整装置の基本的な回路構成を示す図である。
【図５】本実施の形態１に係る流下速度調整装置の実際の回路構成を示す図である。
【図６】本発明の実施の形態２に係る流下速度調整装置の回路構成を示す図である。
【図７】本実施の形態２に係るマイコンが実行する球詰まり検出処理を示すフローチャートである。
【図８】本発明の実施の形態３に係る流下速度調整装置に用いる遊技球誘導コイルの外観斜視図である。
【図９】本実施の形態３に係る流下速度調整装置の回路構成を示す図である。
【図１０】本実施の形態３に係る遊技球の流下速度が遅い場合のコイル電流の変化を示す図である。
【図１１】本実施の形態３に係る遊技球の流下速度が速い場合のコイル電流の変化を示す図である。
【図１２】本実施の形態３に係る流下速度調整装置が遊技球誘導コイルで発生させる交流磁界を強める場合のコイル電流の変化を示す図である。
【図１３】本発明の他の実施の形態に係る流下速度調整装置の回路構成を示す図である。
【図１４】本発明の他の実施の形態に係る球通路断面と遊技球誘導コイルとの位置関係を示す図である。
【図１５】本発明の他の実施の形態に係る球通路断面と遊技球誘導コイルとの位置関係を示す図である。
【符号の説明】
【００８２】
１  遊技台
２０  貯留皿
４０  排出装置
４１  貯留タンク
４１ｄ  球通路
５０、６０、９０  流下速度調整装置
５１  スプロケット・ローラ
５２  モータ
５３  ツェナーダイオード
６１  コンパレータ
６４  マイコン
７０  遊技球誘導コイル
８０  流下速度調整回路
８２  可変出力発振回路
８３  検波回路
８４  ローパスフィルタ
８５  微分回路
８６  電圧比較回路
１００  遊技球
ＴＲ１，ＴＲ２  交流駆動用出力トランジスタ
【図１】
0004601580.tif 000002
【図２】
0004601580.tif 000003
【図３】
0004601580.tif 000004
【図４】
0004601580.tif 000005
【図５】
0004601580.tif 000006
【図６】
0004601580.tif 000007
【図７】
0004601580.tif 000008
【図８】
0004601580.tif 000009
【図９】
0004601580.tif 000010
【図１０】
0004601580.tif 000011
【図１１】
0004601580.tif 000012
【図１２】
0004601580.tif 000013
【図１３】
0004601580.tif 000014
【図１４】
0004601580.tif 000015
【図１５】
0004601580.tif 000016